(57)【要約】  本発明の一実施形態に係る低発火性シガレットペーパー（ｌｏｗ  ｉｇｎｉｔｉｏｎ  ｐｒｏｐｅｎｓｉｔｙ  ｃｉｇａｒｅｔｔｅ  ｐａｐｅｒ）は、喫煙により燃焼する燃焼区間に位置する第１コーティング層（ｃｏａｔｉｎｇ  ｌａｙｅｒ）と、喫煙が終了した吸殻区間に位置する第２コーティング層と、を含み、前記第１コーティング層の坪量は、前記第２コーティング層の坪量より小さい。【選択図】図２
2015532367.tif 000002
【特許請求の範囲】
【請求項１】
喫煙により燃焼する燃焼区間に位置する第１コーティング層と、
喫煙が終了した吸殻区間に位置する第２コーティング層と、
を含み、
前記第１コーティング層の坪量は、前記第２コーティング層の坪量より小さい低発火性シガレットペーパー。
【請求項２】
前記第１コーティング層の坪量は、約０．５ｇ／ｍ２〜約２．５ｇ／ｍ２であり、前記第２コーティング層の坪量は、約２．６ｇ／ｍ２〜約５．５ｇ／ｍ２である、請求項１に記載の低発火性シガレットペーパー。
【請求項３】
前記第１コーティング層の拡散係数は、前記第２コーティング層の拡散係数より大きい、請求項１に記載の低発火性シガレットペーパー。
【請求項４】
前記第１コーティング層の拡散係数は、約１．００１ｃｍ／ｓｅｃ〜約２．５００ｃｍ／ｓｅｃであり、前記第２コーティング層の拡散係数は、約０．０７０ｃｍ／ｓｅｃ〜約１．０００ｃｍ／ｓｅｃである、請求項３に記載の低発火性シガレットペーパー。
【請求項５】
前記燃焼区間は、前記第１コーティング層が前記低発火性シガレットペーパーの第１端部から約５ｍｍ〜約４５ｍｍ離れた距離（ａ１）に対応し、前記吸殻区間は、前記第２コーティング層が前記低発火性シガレットペーパーの第２端部から約７ｍｍ〜約３１ｍｍ離れた距離（ａ４）に対応する、請求項１〜４のいずれか一項に記載の低発火性シガレットペーパー。
【請求項６】
前記第１コーティング層と前記第２コーティング層との間の距離（ａ３）は、約１０ｍｍ〜約５２ｍｍである、請求項５に記載の低発火性シガレットペーパー。
【請求項７】
シガレットカラム部と、
前記シガレットカラム部を囲んでおり、喫煙により燃焼する燃焼区間に位置する第１コーティング層、および喫煙が終了した吸殻区間に位置する第２コーティング層を含む低発火性シガレットペーパーと、
を含み、
前記第１コーティング層の坪量は、前記第２コーティング層の坪量より小さいシガレット。
【請求項８】
前記第１コーティング層の坪量は、約０．５ｇ／ｍ２〜約２．５ｇ／ｍ２であり、前記第２コーティング層の坪量は、約２．６ｇ／ｍ２〜約５．５ｇ／ｍ２である、請求項７に記載のシガレット。
【請求項９】
前記第１コーティング層の拡散係数は、前記第２コーティング層の拡散係数より大きい、請求項７に記載のシガレット。
【請求項１０】
前記第１コーティング層の拡散係数は、約１．００１ｃｍ／ｓｅｃ〜約２．５００ｃｍ／ｓｅｃであり、前記第２コーティング層の拡散係数は、約０．０７０ｃｍ／ｓｅｃ〜約１．０００ｃｍ／ｓｅｃである、請求項９に記載のシガレット。
【請求項１１】
前記燃焼区間は、前記第１コーティング層が前記低発火性シガレットペーパーの第１端部から約５ｍｍ〜約４５ｍｍ離れた距離（ａ１）に対応し、前記吸殻区間は、前記第２コーティング層が前記低発火性シガレットペーパーの第２端部から約７ｍｍ〜約３１ｍｍ離れた距離（ａ４）に対応する、請求項７〜１０のいずれか一項に記載のシガレット。
【請求項１２】
前記第１コーティング層と前記第２コーティング層との間の距離（ａ３）は、約１０ｍｍ〜約５２ｍｍである、請求項１１に記載のシガレット。
【請求項１３】
シガレットフィルター部をさらに含む、請求項７に記載のシガレット。
【請求項１４】
前記シガレットフィルター部は、少なくとも一つのフィルター部材を含む、請求項１３に記載のシガレット。
【請求項１５】
前記シガレットフィルター部は、吸着剤および香味剤のうちの少なくとも一つを含む、請求項１４に記載のシガレット。
【発明の詳細な説明】
【技術分野】
【０００１】
本発明は、低発火性シガレットペーパーおよびこれを含むシガレットを提供する。
【背景技術】
【０００２】
一般に、シガレットを製造するためには、まず多様な種類の葉タバコ（ｌｅａｆ  ｔｏｂａｃｃｏ）を所望の香りと味がするように配合して加工する。次いで、加工された葉タバコを切り刻んで刻みタバコ（ｃｕｔ  ｔｏｂａｃｃｏ  ｌｅａｆ）を製造し、シガレットペーパー（ｃｉｇａｒｅｔｔｅ  ｐａｐｅｒ）で刻みタバコを巻いてフィルターのないシガレットを製造する。次いで、必要に応じてフィルターのないシガレットにフィルターを付着する。
【０００３】
シガレットフィルターは、活性炭、香味物質などを含むことができ、モノフィルターまたは多重フィルターから構成されてもよく、シガレットフィルター巻紙（ｃｉｇａｒｅｔｔｅ  ｆｉｌｔｅｒ  ｗｒａｐｐｉｎｇ  ｐａｐｅｒ）により囲まれている。チップペーパー（ｔｉｐｐｉｎｇ  ｐａｐｅｒ）により刻みタバコとシガレットフィルターが連結され、チップペーパーは微細な孔を含むことができる。
【０００４】
シガレットペーパーは、適切な気孔度と燃焼性により喫煙の際に目標タール（ｔａｒｇｅｔ  ｔａｒ）および目標ニコチン（ｔａｒｇｅｔ  ｎｉｃｏｔｉｎｅ）が履行されるように製造されるだけでなく、タバコ固有の喫味が与えられるように製造され得る。シガレットペーパーは、麻（ｆｌａｘ）、木材パルプなどで製造することができる。
【０００５】
低発火性シガレットペーパーには、澱粉のような物質がバンド（ｂａｎｄ）形態にコーティングされており、コーティングされたバンドの気孔度が低いため、タバコの燃焼がバンド部分に到達すれば刻みタバコに流入される酸素量が減少してタバコが消火され、これによって、火災安全機能が実現され得る。しかしながら、喫煙の際にバンドを通過する酸素量が減少すればタバコの味が変化するおそれがある。
【発明の概要】
【発明が解決しようとする課題】
【０００６】
本発明の一実施形態は、火災安全機能を実現しながらタバコの味を維持することにその目的がある。
【０００７】
前記課題以外にも具体的に言及されていない他の課題の達成に用いられ得る。
【課題を解決するための手段】
【０００８】
本発明の一実施形態に係る低発火性シガレットペーパーは、喫煙により燃焼する燃焼区間に位置する第１コーティング層（ｃｏａｔｉｎｇ  ｌａｙｅｒ）と、喫煙が終了した吸殻区間に位置する第２コーティング層と、を含み、前記第１コーティング層の坪量は、前記第２コーティング層の坪量より小さい。
【０００９】
前記第１コーティング層の坪量は、約０．５ｇ／ｍ２〜約２．５ｇ／ｍ２であり、前記第２コーティング層の坪量は、約２．６ｇ／ｍ２〜約５．５ｇ／ｍ２であり得る。
【００１０】
前記第１コーティング層の拡散係数（ｄｉｆｆｕｓｉｏｎ  ｃｏｅｆｆｉｃｉｅｎｔ）は、前記第２コーティング層の拡散係数より大きく形成され得る。
【００１１】
前記第１コーティング層の拡散係数は、約１．００１ｃｍ／ｓｅｃ〜約２．５００ｃｍ／ｓｅｃであり、前記第２コーティング層の拡散係数は、約０．０７０ｃｍ／ｓｅｃ〜約１．０００ｃｍ／ｓｅｃであり得る。
【００１２】
前記燃焼区間は、前記第１コーティング層が前記低発火性シガレットペーパーの第１端部から約５ｍｍ〜約４５ｍｍ離れた距離（ａ１）に対応し、前記吸殻区間は、前記第２コーティング層が前記低発火性シガレットペーパーの第２端部から約７ｍｍ〜約３１ｍｍ離れた距離（ａ４）に対応することができる。
【００１３】
前記第１コーティング層と前記第２コーティング層との間の距離（ａ３）は、約１０ｍｍ〜約５２ｍｍであり得る。
【００１４】
本発明の一実施形態に係るシガレットは、シガレットカラム部（ｃｉｇａｒｅｔｔｅ  ｃｏｌｕｍｎ  ｐｏｒｔｉｏｎ）と、前記シガレットカラム部を囲んでおり、喫煙により燃焼する燃焼区間に位置する第１コーティング層、および喫煙が終了した吸殻区間に位置する第２コーティング層を含む低発火性シガレットペーパーと、を含み、前記第１コーティング層の坪量は、前記第２コーティング層の坪量より小さく形成され得る。
【００１５】
前記シガレットは、シガレットフィルター部（ｃｉｇａｒｅｔｔｅ  ｆｉｌｔｅｒ  ｐｏｒｔｉｏｎ）をさらに含むことができる。
【００１６】
前記シガレットフィルター部は、少なくとも一つのフィルター部材（ｆｉｌｔｅｒ  ｍｅｍｂｅｒ）を含むことができる。
【００１７】
前記シガレットフィルター部は、吸着剤および香味剤のうちの少なくとも一つを含むことができる。
【発明の効果】
【００１８】
本発明の一実施形態によれば、火災安全機能を実現しながらタバコの味を維持することができる。
【図面の簡単な説明】
【００１９】
【図１】本発明の一実施形態に係るシガレットを概略的に示す斜視図である。
【図２】本発明の一実施形態に係るシガレットを概略的に示す断面図である。
【図３】本発明の一実施形態に係るシガレットを概略的に示す断面図である。
【図４】シガレットに対する官能評価を示すグラフである。
【図５】シガレットに対する官能評価を示すグラフである。
【発明を実施するための形態】
【００２０】
添付図面を参照して本発明の実施形態について本発明が属する技術分野における通常の知識を有する者が容易に実施することができるように詳しく説明する。本発明は多様な異なる形態に実現することができ、ここで説明する実施形態に限定されない。図面において、本発明を明確に説明するために、説明上不要な部分は省略し、明細書全体にわたって同一または類似する構成要素については同一の図面符号を付した。また、広く知られている公知技術の場合、その具体的な説明は省略する。
【００２１】
以下、本発明の実施形態に係るシガレットペーパーおよびシガレットについて図１〜図３を参照して詳細に説明する。
【００２２】
図１は、本発明の一実施形態に係るシガレットを概略的に示す斜視図であり、図２は、本発明の一実施形態に係るシガレットを概略的に示す断面図であり、図３は、本発明の一実施形態に係るシガレットを概略的に示す断面図である。
【００２３】
図１および図２を参照すると、シガレット（ｃｉｇａｒｅｔｔｅ）１は、火により燃焼するシガレットカラム部（ｃｉｇａｒｅｔｔｅ  ｃｏｌｕｍｎ  ｐｏｒｔｉｏｎ）１０と、タバコの煙をフィルタリングするシガレットフィルター部（ｃｉｇａｒｅｔｔｅ  ｆｉｌｔｅｒ  ｐｏｒｔｉｏｎ）２０とを含む。シガレットカラム部１０は、シガレットペーパー１９により巻かれており、シガレットフィルター部２０は、シガレットフィルター巻紙２８により巻かれていてもよい。シガレットカラム部１０とシガレットフィルター部２０とは、チップペーパー（ｔｉｐｐｉｎｇ  ｐａｐｅｒ）２９により連結されていてもよい。例えば、シガレットペーパー１９とチップペーパー２９とが重なる部分の長さは、約４ｍｍ〜約６ｍｍであり得る。シガレットの周りは、ほぼ５ｍｍ〜ほぼ３０ｍｍであり得る。シガレットフィルター部２０は省略されてもよい。
【００２４】
シガレットカラム部１０は、多様な方法により加工された葉タバコから切り刻まれた刻みタバコ１１を含む。
【００２５】
シガレットフィルター部２０は、第１フィルター部２１を含むことができる。第１フィルター部２１は、アセテートトウ（ａｃｅｔａｔｅ  ｔｏｗ）、紙などで形成され得る。シガレットフィルター部２０は、２つ以上のフィルター部材（ｆｉｌｔｅｒ  ｍｅｍｂｅｒ）を含む多重フィルターであり得る。例えば、図３を参照すると、シガレットフィルター部２０は、第２フィルター部２２および第３フィルター部２３を含むことができる。その他にも、シガレットフィルター部２０は、３つのフィルター部材、４つのフィルター部材を含むことができる。
【００２６】
シガレットフィルター部２０は、吸着剤、香味剤などを含むことができる。例えば、吸着剤は活性炭などであり、香味剤はハーブの香り物質などであり得る。多重フィルターにおける１つ以上のフィルター部材は、吸着剤および香味剤のうちの少なくとも一つを含むことができる。例えば、図３を参照すると、第２フィルター部２２および第３フィルター部２３のうちの少なくとも一つは、吸着剤および香味剤のうちの少なくとも一つを含むことができる。
【００２７】
シガレットペーパー１９は、基材紙（ｂａｓｅ  ｐａｐｅｒ）から構成され、基材紙の上に２つのコーティング層（ｃｏａｔｉｎｇ  ｌａｙｅｒ）１７、１８が位置し、これによって１つのコーティング層を含むシガレットより火災安全機能が改善され得る。例えば、シガレットカラム部１０で消費者の喫煙により燃焼する燃焼区間に第１コーティング層１７が位置し、シガレットカラム部１０で喫煙が終了した吸殻区間に第２コーティング層１８が位置する。例えば、シガレットフィルターを除いた吸殻の通常の長さは約１０ｍｍ〜約１４ｍｍであり得る。また、第１コーティング層１７は、シガレット１の終端から約５ｍｍ〜約４５ｍｍ離れた距離（ａ１）に位置し、第２コーティング層１８は、チップペーパー２９の終端から約３ｍｍ〜約２５ｍｍ離れた距離（ａ２）に位置し、第１コーティング層１７と第２コーティング層１８との間の距離（ａ３）は、約１０ｍｍ〜約５２ｍｍであり、第２コーティング層１８は、シガレットペーパー１９の終端から約７ｍｍ〜約３１ｍｍ離れた距離（ａ４）に位置することができる。ここでａ１は、燃焼区間に対応し、ａ２またはａ４は吸殻区間に対応することができる。第１コーティング層１７の幅は、約４ｍｍ〜約６ｍｍであり、第２コーティング層１８の幅は、約５ｍｍ〜約１０ｍｍであり得る。コーティング層１７、１８は、基本的にシガレットペーパー１９の気孔度を低めることができ、これによって、シガレットの燃焼がコーティング層１７、１８に到達すればシガレットカラム部１０に流入される酸素量が減少してシガレット１が消火され得る。コーティング層１７、１８を含むシガレットペーパー１９を低発火性シガレットペーパーともいう。コーティング層１７、１８は、バンド形態であってもよいが、その他にも多様な形態を有することができる。
【００２８】
コーティング層１７、１８には、コーティング組成物が塗布される。ここで塗布は、印刷、噴射などコーティング組成物をシガレットペーパー１９の上に形成することができる 全ての方法を含む。この時、シガレットカラム部１０の燃焼開始位置に近接して位置する第１コーティング層１７に塗布されるコーティング組成物の量は、シガレットフィルター部２０に近接して位置する第２コーティング層１８に塗布されるコーティング組成物の量より小さい。これによって、第１コーティング層１７を通過する酸素流入量が第２コーティング層１８を通過する酸素流入量より大きく、その結果、第１コーティング層１７の拡散係数（ｄｉｆｆｕｓｉｏｎ  ｃｏｅｆｆｉｃｉｅｎｔ）が第２コーティング層１８の拡散係数より大きい。このように第１コーティング層１７と第２コーティング層１８の物性が異なるシガレットは、物性が同一な２つのコーティング層、例えば、同量のコーティング組成物が塗布されているコーティング層を含むシガレットよりコーティング層におけるタバコの味の低下が防止され得る。第１コーティング層１７の酸素流入量が従来の低発火性シガレットペーパーのコーティング層の酸素流入量より高くなるように第１コーティング層１７を形成することによって、消費者が喫煙の際にタバコの味の低下を最少化することができ、同時に第２コーティング層１８の酸素流入量が従来の低発火性シガレットペーパーのコーティング層の酸素流入量と同等または小さくなるように第２コーティング層１８を形成することによって、火災安全機能が維持され得る。
【００２９】
例えば、第１コーティング層１７の坪量は、約０．５ｇ／ｍ２〜約２．５ｇ／ｍ２であり、第２コーティング層１８の坪量は、約２．６ｇ／ｍ２〜約５．５ｇ／ｍ２であってもよく、このような範囲にある時、火災安全機能がより改善されながらもコーティング層におけるタバコの味の低下がより防止され得る。ここでコーティング層の坪量は、基材紙を除いてコーティング組成物の塗布により形成されたコーティング層だけの坪量であり、コーティング層および基材紙の坪量とコーティング層が除外された基材紙の坪量との差に該当する値である。また、第１コーティング層１７の拡散係数は、約１．００１ｃｍ／ｓｅｃ〜約２．５００ｃｍ／ｓｅｃであり、第２コーティング層１８の拡散係数は、約０．０７０ｃｍ／ｓｅｃ〜約１．０００ｃｍ／ｓｅｃであってもよく、このような範囲にある時、火災安全機能がより改善されながらもコーティング層におけるタバコの味の低下がより防止され得る。
【００３０】
シガレットペーパー１９の基材紙（ｂａｓｅ  ｐａｐｅｒ）の気孔度はほぼ８５ｃｕ以下であり、厚さは約３０μｍ〜約６０μｍであり、坪量は約１５ｇ／ｍ２〜約４０ｇ／ｍ２であり得る。シガレットペーパー１９およびコーティング組成物全体重量に対するコーティング組成物の重量比率は、ほぼ４０重量％以下であり得る。コーティング組成物は、澱粉（ｓｔａｒｃｈ）などの多様な種類の物質を含むことができる。
【実施例】
【００３１】
以下、実施例を挙げて本発明についてより詳細に説明するが、下記の実施例は本発明の実施例に過ぎず、本発明は下記の実施例に限定されない。
【００３２】
実施例１
シガレットペーパー上に第１コーティング層１７および第２コーティング層１８を形成したことを除いては、ザーウォンブルー（ＴＨＥ  ＯＮＥ  ｂｌｕｅ、商品名、ＫＴ＆Ｇ社製）と同一のシガレットを製造する。ザーウォンブルーのシガレットペーパーにはコーティング層が形成されていない。シガレットペーパーの気孔度は約６０ｃｕである。シガレットペーパー上には第１コーティング層１７および第２コーティング層１８が位置しており、第１コーティング層１７はシガレット１の終端から約１５ｍｍ離れた距離（ａ１）に位置し、第２コーティング層１８はチップペーパー２９の終端から約１０ｍｍ離れた距離（ａ２）に位置し、第１コーティング層１７と第２コーティング層１８との間の距離（ａ３）は約２１ｍｍである。第１コーティング層１７および第２コーティング層１８のそれぞれの幅は約５ｍｍおよび約６ｍｍであり、坪量は約０．８ｇ／ｍ２および約４．７ｇ／ｍ２であり、拡散係数は約２．１３８ｃｍ／ｓｅｃおよび約０．１０５ｃｍ／ｓｅｃである。ザーウォンブルーの基材紙の坪量は約２６ｇ／ｍ２である。
【００３３】
比較例１
シガレットペーパーの気孔度が約６０ｃｕであるザーウォンブルーと同一のシガレットを製造する。
【００３４】
比較例２
気孔度が約８０ｃｕである低発火性シガレットペーパーを用いたことを除いては、ザーウォンブルーと同一のシガレットを製造する。シガレットペーパー上には第１コーティング層１７および第２コーティング層１８が位置しており、第１コーティング層１７はシガレット１の終端から約１０ｍｍ離れた距離（ａ１）に位置し、第２コーティング層１８はチップペーパー２９の終端から約１０ｍｍ離れた距離（ａ２）に位置し、第１コーティング層１７と第２コーティング層１８との間の距離（ａ３）は約２０ｍｍである。第１コーティング層１７および第２コーティング層１８の幅は約６ｍｍであり、坪量は約３．１ｇ／ｍ２であり、拡散係数は約０．１０５ｃｍ／ｓｅｃである。
【００３５】
シガレットの煙成分の測定
前記実施例１、比較例１および２で製造されたシガレットの煙成分を測定して下記表１に示した。
【００３６】
【表１】
2015532367.tif 000003
【００３７】
前記表１を参照すると、実施例１のシガレットと比較例１および２のシガレットの煙成分は類似している。
【００３８】
シガレットの燃焼強度の測定
前記実施例１、比較例１および２で製造されたシガレットの燃焼強度を測定して下記表２に示した。燃焼強度はＡＳＴＭ  Ｅ２１８７−０４に準じて測定しており、４０回を繰り返してシガレットフィルターの終端８ｍｍ以前に消化する比率（％）を測定し、消化する比率が高いほど燃焼強度は優れている。
【００３９】
【表２】
2015532367.tif 000004
【００４０】
前記表２を参照すると、実施例１のシガレットの燃焼強度は、比較例１のシガレットの燃焼強度より優れている。また、実施例１のシガレットの第１コーティング層１７の酸素流入量を高めたにもかかわらず、比較例２のシガレットと類似する燃焼強度を示すことが分かる。
【００４１】
シガレットの官能評価
２０名のパネルから、前記実施例１および比較例１で製造されたシガレットの味を評価して図４に示し、前記実施例１および比較例２で製造されたシガレットの味を評価して図５に示した。
【００４２】
図４を参照すると、火災安全機能を有する実施例１のシガレットと火災安全機能を有していない比較例１のシガレットとのタバコの味には殆ど差がないと示された。豊富な煙量（ａｂｕｎｄａｎｔ  ｓｍｏｋｉｎｇ  ａｍｏｕｎｔ）、タバコの味の強度（ｔｏｂａｃｃｏ  ｔａｓｔｅ  ｓｔｒｅｎｇｔｈ）、刺激性（ｉｒｒｉｔａｔｉｏｎ）、異臭味（ｏｆｆ-ｆｌａｖｏｒ  ｗｈｅｎ  ｓｍｏｋｉｎｇ  ａｔ  ａ  ｂａｎｄ）、そして全体のタバコの味（ｔｏｔａｌ  ｔｏｂａｃｃｏ  ｔａｓｔｅ）において、実施例１のシガレットと比較例１のシガレットとが類似している。
【００４３】
図５を参照すると、火災安全機能を有する実施例１のシガレットと比較例２のシガレットとを比較する時、実施例１のシガレットは比較例２のシガレットより異臭味が少ないため、タバコの味が改善されたことが分かる。
【００４４】
以上で、本発明の好適な実施形態について詳細に説明したが、本発明の権利範囲はこれに限定されず、特許請求の範囲で定義している本発明の基本概念を利用した当業者の様々な変形および改良形態も本発明の権利範囲に属する。
【図１】
2015532367.tif 000005
【図２】
2015532367.tif 000006
【図３】
2015532367.tif 000007
【図４】
2015532367.tif 000008
【図５】
2015532367.tif 000009
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
第１端部と第２端部を含む低発火性シガレットペーパーで、
喫煙により燃焼する燃焼区間に位置する第１コーティング層と、
喫煙が終了した吸殻区間に位置する第２コーティング層と、
を含み、
前記第１コーティング層の坪量は、前記第２コーティング層の坪量より小さく、
前記燃焼区間は、前記第１コーティング層が前記低発火性シガレットペーパーの第１端部から５ｍｍ〜４５ｍｍ離れた距離（ａ１）に対応し、前記吸殻区間は、前記第２コーティング層が前記低発火性シガレットペーパーの第２端部から７ｍｍ〜３１ｍｍ離れた距離（ａ４）に対応する、低発火性シガレットペーパー。
【請求項２】
前記第１コーティング層の坪量は、０．５ｇ／ｍ２〜２．５ｇ／ｍ２であり、前記第２コーティング層の坪量は、２．６ｇ／ｍ２〜５．５ｇ／ｍ２である、請求項１に記載の低発火性シガレットペーパー。
【請求項３】
前記第１コーティング層の拡散係数は、前記第２コーティング層の拡散係数より大きい、請求項１に記載の低発火性シガレットペーパー。
【請求項４】
前記第１コーティング層の拡散係数は、１．００１ｃｍ／ｓｅｃ〜２．５００ｃｍ／ｓｅｃであり、前記第２コーティング層の拡散係数は、０．０７０ｃｍ／ｓｅｃ〜１．０００ｃｍ／ｓｅｃである、請求項３に記載の低発火性シガレットペーパー。
【請求項５】
前記第１コーティング層と前記第２コーティング層との間の距離（ａ３）は、１０ｍｍ〜５２ｍｍである、請求項１に記載の低発火性シガレットペーパー。
【請求項６】
シガレットカラム部と、
前記シガレットカラム部を囲んでおり、喫煙により燃焼する燃焼区間に位置する第１コーティング層、および喫煙が終了した吸殻区間に位置する第２コーティング層を含む低発火性シガレットペーパーと、
を含み、
前記第１コーティング層の坪量は、前記第２コーティング層の坪量より小さく、
前記燃焼区間は、前記第１コーティング層が前記低発火性シガレットペーパーの第１端部から５ｍｍ〜４５ｍｍ離れた距離（ａ１）に対応し、前記吸殻区間は、前記第２コーティング層が前記低発火性シガレットペーパーの第２端部から７ｍｍ〜３１ｍｍ離れた距離（ａ４）に対応する、シガレット。
【請求項７】
前記第１コーティング層の坪量は、０．５ｇ／ｍ２〜２．５ｇ／ｍ２であり、前記第２コーティング層の坪量は、２．６ｇ／ｍ２〜５．５ｇ／ｍ２である、請求項６に記載のシガレット。
【請求項８】
前記第１コーティング層の拡散係数は、前記第２コーティング層の拡散係数より大きい、請求項６に記載のシガレット。
【請求項９】
前記第１コーティング層の拡散係数は、１．００１ｃｍ／ｓｅｃ〜２．５００ｃｍ／ｓｅｃであり、前記第２コーティング層の拡散係数は、０．０７０ｃｍ／ｓｅｃ〜１．０００ｃｍ／ｓｅｃである、請求項８に記載のシガレット。
【請求項１０】
前記第１コーティング層と前記第２コーティング層との間の距離（ａ３）は、１０ｍｍ〜５２ｍｍである、請求項６に記載のシガレット。
【請求項１１】
シガレットフィルター部をさらに含む、請求項６に記載のシガレット。
【請求項１２】
前記シガレットフィルター部は、少なくとも一つのフィルター部材を含む、請求項１１に記載のシガレット。
【請求項１３】
前記シガレットフィルター部は、吸着剤および香味剤のうちの少なくとも一つを含む、請求項１２に記載のシガレット。
【国際調査報告】
2015532367.tif 000010
2015532367.tif 000011
2015532367.tif 000012
2015532367.tif 000013